(57)【要約】本開示はユーザ情報プッシュ方法及び装置に関し、前記方法は、近距離通信によって、第一ユーザ設備の第一識別子を取得することと、現在のデータベースを検索し、前記第一識別子に対応する第一ユーザ情報を取得し、前記データベースは各ユーザ設備の識別子に対応するユーザ情報を含みことと、プッシュ情報を出力し、前記プッシュ情報は前記第一ユーザ情報を含むこととを含む。前記方法はさらに、前記データベースに前記第一識別子に対応するユーザ情報が存在しないことを検出するときに、編集要求をプッシュし、前記編集要求は前記第一識別子を含むことと、編集応答を受信し、前記編集応答は受信したユーザ情報を含むことと、受信したユーザ情報を前記第一識別子に対応するユーザ情報として、前記データベースに記憶することと、を含む。【選択図】図１Ａ
2018503988.tif 000002
【特許請求の範囲】
【請求項１】
ユーザ情報プッシュ方法であって、
近距離通信によって、第一ユーザ設備の第一識別子を取得することと、
現在のデータベースを検索し、前記第一識別子に対応する第一ユーザ情報を取得し、前記データベースは各ユーザ設備の識別子に対応するユーザ情報を含むことと、
プッシュ情報を出力し、前記プッシュ情報は前記第一ユーザ情報を含むことと、を含む前記方法。
【請求項２】
前記方法はさらに、
前記データベースに前記第一識別子に対応するユーザ情報が存在しないことを検出するときに、編集要求をプッシュし、前記編集要求は前記第一識別子を含むことと、
編集応答を受信し、前記編集応答は受信したユーザ情報を含むことと、
受信したユーザ情報を前記第一識別子に対応するユーザ情報として、前記データベースに記憶することと、を含む
請求項１に記載の方法。
【請求項３】
前記現在のデータベースを検索し、前記第一識別子に対応する第一ユーザ情報を取得することは、
前記第一識別子は現在の既に検出されたユーザ設備の識別子に属しないときに、現在のデータベースを検索し、前記第一識別子に対応する第一ユーザ情報を取得することを含む
請求項１に記載の方法。
【請求項４】
前記方法はさらに、
提示禁止オプションをプッシュし、前記提示禁止オプションは前記第一ユーザ情報を含むことと、
前記提示禁止オプションへの確認命令を検出するときに、前記データベース中の前記第一識別子に提示禁止マークを付けることと、を含む
請求項１から３のいずれか１項に記載の方法。
【請求項５】
前記方法はさらに、
前記データベース中の前記第一識別子に前記提示禁止マークを付けていることを検出するときに、プッシュ情報の出力を禁止する
請求項４に記載の方法。
【請求項６】
ユーザ情報プッシュ装置であって、
近距離通信によって、第一ユーザ設備の第一識別子を取得するように構成される取得モジュールと、
現在のデータベースを検索し、前記取得モジュールの取得した前記第一識別子に対応する第一ユーザ情報を取得し、前記データベースは各ユーザ設備の識別子に対応するユーザ情報を含むように構成される検索モジュールと、
プッシュ情報を出力し、前記プッシュ情報は前記検索モジュールの取得した前記第一ユーザ情報を含むように構成される第一プッシュモジュールと、を含む前記装置。
【請求項７】
前記装置はさらに、
前記検索モジュールは前記データベースに前記第一識別子に対応するユーザ情報が存在しないことを検出するときに、編集要求をプッシュし、前記編集要求は前記第一識別子を含むように構成される第二プッシュモジュールと、
編集応答を受信し、前記編集応答は受信したユーザ情報を含むように構成される第一受信モジュールと、
前記第一受信モジュールの受信したユーザ情報を前記第一識別子に対応するユーザ情報として、前記データベースに記憶するように構成される編集モジュールと、を含む
請求項６に記載の装置。
【請求項８】
前記検索モジュールは、
前記取得モジュールの取得した第一識別子は現在の既に検出されたユーザ設備の識別子に属しないときに、現在のデータベースを検索し、前記第一識別子に対応する第一ユーザ情報を取得するように構成される検索サブモジュールを含む
請求項６に記載の装置。
【請求項９】
前記装置はさらに、
提示禁止オプションをプッシュし、前記提示禁止オプションは第一ユーザ情報を含むように構成される第三プッシュモジュールと、
前記提示禁止オプションへの確認命令を検出するときに、前記データベース中の前記第一識別子に提示禁止マークを付けるように構成されるマークモジュールと、を含む
請求項６から８のいずれか１項に記載の装置。
【請求項１０】
前記装置はさらに、
前記データベース中の前記第一識別子に前記提示禁止マークを付けていることを検出するときに、プッシュ情報の出力を禁止するように構成される処理モジュールを含む
請求項９に記載の装置。
【請求項１１】
ユーザ情報プッシュ装置であって、
プロセッサと、
プロセッサで実行可能な命令を記憶するように構成されるメモリとを含み、
前記プロセッサは、近距離通信によって、第一ユーザ設備の第一識別子を取得し、現在のデータベースを検索し、前記第一識別子に対応する第一ユーザ情報を取得し、前記データベースは各ユーザ設備の識別子に対応するユーザ情報を含み、プッシュ情報を出力し、前記プッシュ情報は前記第一ユーザ情報を含むように構成される、前記装置。
【発明の詳細な説明】
【技術分野】
【０００１】
本願は出願番号が２０１５１０８５７２１４．５で、出願日は２０１５年１１月３０日の中国特許出願で提出し、かつ該中国特許出願の優先権を要求し、該中国特許出願の全部内容はここで本願を導入して基準とする。
【０００２】
本発明はソフトウェアアプリケーションの分野に関し、特にユーザ情報プッシュ方法及び装置に関する。
【背景技術】
【０００３】
インターパーソナルコミュニケーションの方式がますます便利になることに従って、ユーザは大量のユーザ情報、例えば、名前、連絡先等を覚える必要がある。
【０００４】
実際の応用において、ユーザは常に各ユーザのユーザ情報が正確に覚えてないため、関連する問題を引き起こしたことがある。例えば、ユーザと同僚が初めて会い、互いに自己の名前を紹介し、いろんな話をした後に、何日間後に、ユーザはこの同僚を再度会ったときに、該同僚の名前が覚えられない可能性があり、迷惑と不便になった。
【発明の概要】
【発明が解決しようとする課題】
【０００５】
本開示の実施例はユーザ情報プッシュ方法及び装置を提供する。前記技術的解決手段は以下の通りである。
【０００６】
本開示の実施例の第一方面に基づいて、ユーザ情報プッシュ方法を提供し、該方法は、近距離通信によって、第一ユーザ設備の第一識別子を取得することと、現在のデータベースを検索し、前記第一識別子に対応する第一ユーザ情報を取得し、前記データベースは各ユーザ設備の識別子に対応するユーザ情報を含むことと、プッシュ情報を出力し、前記プッシュ情報は前記第一ユーザ情報を含むこととを含む。
【０００７】
本実施方式の提供する技術的解決手段は、ユーザの周囲に他のユーザが近接されるときに、近距離通信によって、他のユーザのユーザ設備識別子を取得することができ、各ユーザ設備識別子に対応するユーザ情報を検索することによって、該他のユーザのユーザ情報を取得し、かつユーザ情報を含むプッシュ情報を出力し、それによりユーザは周囲の他のユーザのユーザ情報をリアルタイムかつ正確に取得することができ、覚えられないことによる迷惑と不便を回避し、ユーザ識別の正確性と確実性を高めるという有益な効果を含むことができる。
【０００８】
さらに、前記方法はまた、前記データベースに前記第一識別子に対応するユーザ情報が存在しないことを検出するときに、編集要求をプッシュし、前記編集要求は前記第一識別子を含むことと、編集応答を受信し、前記編集応答は受信したユーザ情報を含むことと、受信したユーザ情報を第一識別子に対応するユーザ情報として、前記データベースに記憶することとを含む。
【０００９】
本実施方式の提供する技術的解決手段は、データベースに現在の取得した識別子に対応するユーザ情報がないことを検出するときに、編集要求をプッシュし、かつユーザの入力したユーザ情報を現在の取得した識別子に対応するユーザ情報としてデータベースに記憶し、データベースへの更新及び改善を実現し、ユーザ識別の正確度及び確実性を高めるという有益な効果を含むことができる。
【００１０】
さらに、前記現在のデータベースを検索し、前記第一識別子に対応する第一ユーザ情報を取得することは、前記第一識別子は現在の検出されたユーザ設備の識別子に属しないときに、現在のデータベースを検索し、前記第一識別子に対応する第一ユーザ情報を取得することを含む。
【００１１】
本実施方式の提供する技術的解決手段は、新しいユーザ設備識別子の出現が検出されたときに、該新しいユーザ設備識別子に対応するユーザ情報を取得するためにデータベースを検索し、それにより頻繁な繰り返し処理を回避し、ユーザ情報プッシュ装置の消費電力量と処理リソースを効果的に節約するという有益な効果を含むことができる。
【００１２】
さらに、前記方法はさらに、提示禁止オプションをプッシュし、前記提示禁止オプションは第一ユーザ情報を含むことと、前記提示禁止オプションへの確認命令を検出するときに、前記データベース中の前記第一識別子に提示禁止マークを付けることとを含む。
【００１３】
本実施方式の提供する技術的解決手段は、ユーザ情報を含むプッシュ情報を出力するとともに提示禁止オプションをプッシュし、ユーザは該提示禁止オプションを選択すると、識別しやすいために、前記データベース中の第一識別子に提示禁止マークを付けるという有益な効果を含むことができる。
【００１４】
さらに、前記方法はさらに、前記データベース中の前記第一識別子に前記提示禁止マークを付けていることを検出するときに、プッシュ情報の出力を禁止することを含む。
【００１５】
本実施方式の提供する技術的解決手段は、ユーザ情報を含むプッシュ情報を出力するとともに提示禁止オプションをプッシュし、ユーザは該提示禁止オプションを選択すると、データベース中の対応する識別子に提示禁止マークを付け、続いて取得したユーザ設備の識別子は提示禁止マークを付けている識別子であると、プッシュ情報を出力する必要がなく、それにより不必要な処理を回避し、さらにユーザ情報プッシュ装置の消費電力量と処理リソースを効果的に節約するという有益な効果を含むことができる。
【００１６】
本発明の実施例の第二方面に基づいて、ユーザ情報プッシュ装置を提供し、該装置は、近距離通信によって、第一ユーザ設備の第一識別子を取得するように構成される取得モジュールと、現在のデータベースを検索し、前記取得モジュールの取得した前記第一識別子に対応する第一ユーザ情報を取得し、前記データベースは各ユーザ設備の識別子に対応するユーザ情報を含むように構成される検索モジュールと、プッシュ情報を出力し、前記プッシュ情報は前記検索モジュールの取得した前記第一ユーザ情報を含むように構成される第一プッシュモジュールと、を含む。
【００１７】
本実施方式の提供する技術的解決手段は、ユーザの周囲に他のユーザが近接されるときに、近距離通信によって、他のユーザのユーザ設備識別子を取得することができ、各ユーザ設備識別子に対応するユーザ情報を検索することによって、該他のユーザのユーザ情報を取得し、かつユーザ情報を含むプッシュ情報を出力し、それによりユーザは周囲の他のユーザのユーザ情報をリアルタイムかつ正確に取得することができ、覚えられないことによる迷惑と不便を回避し、ユーザ識別の正確性と確実性を高めるという有益な効果を含むことができる。
【００１８】
さらに、前記装置はさらに、前記検索モジュールは前記データベースに前記第一識別子に対応するユーザ情報が存在しないことを検出するときに、編集要求をプッシュし、前記編集要求は前記第一識別子を含むように構成される第二プッシュモジュールと、編集応答を受信し、前記編集応答は受信したユーザ情報を含むように構成される第一受信モジュールと、前記第一受信モジュールの受信したユーザ情報を前記第一識別子に対応するユーザ情報として、前記データベースに記憶するように構成される編集モジュールと、を含む。
【００１９】
本実施方式の提供する技術的解決手段は、データベースに現在の取得した識別子に対応するユーザ情報がないことを検出するときに、編集要求をプッシュし、かつデータベースへの更新及び改善を実現するために、ユーザの入力したユーザ情報を現在に取得した識別子に対応するユーザ情報としてデータベースに記憶し、ユーザ識別の正確度と確実性を高めるという有益な効果を含むことができる。
【００２０】
さらに、前記検索モジュールは、前記取得モジュールの取得した前記第一識別子は現在に検出されたユーザ設備の識別子に属しないときに、現在のデータベースを検索し、前記第一識別子に対応する第一ユーザ情報を取得するように構成される検索サブモジュールを含む。
【００２１】
本実施方式の提供する技術的解決手段は、新しいユーザ設備識別子の出現が検出されたときに、該新しいユーザ設備識別子に対応するユーザ情報を取得するためにデータベースを検索し、それにより頻繁な繰り返し処理を回避し、ユーザ情報プッシュ装置の消費電力量と処理リソースを効果的に節約するという有益な効果を含むことができる。
【００２２】
さらに、前記装置はさらに、提示禁止オプションをプッシュし、前記提示禁止オプションは前記第一ユーザ情報を含むように構成される第三プッシュモジュールと、前記提示禁止オプションへの確認命令を検出するときに、前記データベース中の前記第一識別子に提示禁止マークを付けるように構成されるマークモジュールと、を含む。
【００２３】
本実施方式の提供する技術的解決手段は、ユーザ情報を含むプッシュ情報を出力するとともに提示禁止オプションをプッシュし、ユーザは該提示禁止オプションを選択すると、識別しやすいために、前記データベース中の第一識別子に提示禁止マークを付けるという有益な効果を含むことができる。
【００２４】
さらに、前記装置はさらに、前記データベース中の前記第一識別子に前記提示禁止マークを付けていることを検出するときに、プッシュ情報の出力を禁止するように構成される処理モジュールを含む。
【００２５】
本実施方式の提供する技術的解決手段は、ユーザ情報を含むプッシュ情報を出力するとともに提示禁止オプションをプッシュし、ユーザは該提示禁止オプションを選択すると、データベース中の対応する識別子に提示禁止マークを付けて、続いて取得したユーザ設備の識別子は提示禁止マークを付けている識別子であると、プッシュ情報を出力する必要がなく、それにより不必要な処理を回避し、さらにユーザ情報プッシュ装置の消費電力量と処理リソースを効果的に節約するという有益な効果を含むことができる。
【００２６】
本開示の実施例の第三方面に基づいて、ユーザ情報プッシュ装置を提供し、該装置は、プロセッサと、プロセッサで実行可能な命令を記憶するように構成されるメモリとを含み、前記プロセッサは、近距離通信によって、第一ユーザ設備の第一識別子を取得し、現在のデータベースを検索し、前記第一識別子に対応する第一ユーザ情報を取得し、前記データベースは各ユーザ設備の識別子に対応するユーザ情報を含み、プッシュ情報を出力し、前記プッシュ情報は前記第一ユーザ情報を含むように構成される。
【００２７】
本実施方式の提供する技術的解決手段は、ユーザの周囲に他のユーザが近接されるときに、近距離通信によって、他のユーザのユーザ設備識別子を取得することができ、各ユーザ設備識別子に対応するユーザ情報を検索することによって、該他のユーザのユーザ情報を取得し、かつユーザ情報を含むプッシュ情報を出力し、それによりユーザは周囲の他のユーザのユーザ情報をリアルタイムかつ正確に取得することができ、覚えられないことによる迷惑と不便を回避し、ユーザ識別の正確性と確実性を高めるという有益な効果を含むことができる。
【００２８】
理解しようとするのは、以上の一般的な描写と後の詳細描写は例示的と解釈的に過ぎなく、本開示を限定することができない。
【図面の簡単な説明】
【００２９】
【図１Ａ】例示的実施例に基づいて示したユーザ情報プッシュ方法のフローチャートである。
【図１Ｂ】他の例示的実施例に基づいて示したユーザ情報プッシュ方法のフローチャートである。
【図２】例示的実施例に基づいて示したユーザ情報プッシュ方法のフローチャートである。
【図３Ａ】他の例示的実施例に基づいて示したユーザ情報プッシュ方法のフローチャートである。
【図３Ｂ】他の例示的実施例に基づいて示したユーザ情報プッシュ方法のフローチャートである。
【図４Ａ】例示的実施例に基づいて示したユーザ情報プッシュ装置の構成図である。
【図４Ｂ】他の例示的実施例に基づいて示したユーザ情報プッシュ装置の構成図である。
【図５】他の例示的実施例に基づいて示したユーザ情報プッシュ装置の構成図である。
【図６Ａ】他の例示的実施例に基づいて示したユーザ情報プッシュ装置の構成図である。
【図６Ｂ】他の例示的実施例に基づいて示したユーザ情報プッシュ装置の構成図である。
【図７】例示的実施例に基づいて示したユーザ情報プッシュ装置のブロック図である。
【図８】例示的実施例に基づいて示したユーザ情報プッシュ装置８００のブロック図である。
【発明を実施するための形態】
【００３０】
ここの図面は明細書に組み込まれかつ本明細書の一部を構成し、本発明に一致した実施例を示し、かつ明細書と一緒に本発明の原理を解釈するために用いられる。
【００３１】
ここの図面は明細書に組み込まれかつ本明細書の一部を構成し、本発明に一致した実施例を示し、かつ明細書と一緒に本発明の原理を解釈するために用いられる。
【００３２】
ここで例示的実施例について詳細な説明を行い、その例示は図面に示す。以下の描写は図面に関するときに、別に示されない以外に、異なる図面中の同じ数字は同じ又は類似した要素を示す。以下の例示的実施例に描写された実施方式は本発明と一致する全ての実施方式を代表しない。逆に、それらは特許請求の範囲に詳細に描写され、本発明のある方面と一致する装置及び方法の例に過ぎない。
【００３３】
図１Ａは例示的実施例に基づいて示したユーザ情報プッシュ方法のフローチャートである。図１Ａに示したように、本実施例は該ユーザ情報プッシュ方法をユーザ情報プッシュ装置に応用して例示され、該ユーザ情報プッシュ方法は以下のいくつかのステップを含むことができ、
ステップ１０１において、近距離通信によって、第一ユーザ設備の第一識別子を取得する。
【００３４】
具体的には、本実施例の実行主体はユーザ情報プッシュ装置であることができ、該ユーザ情報プッシュ装置は近距離通信と処理プッシュ機能を備え、例えば、端末及び着用可能設備等である。実際の応用シーンで例示される。
【００３５】
ユーザはユーザ情報プッシュ装置を携帯し、ユーザの周囲に他のユーザが近接されるときに、ユーザ情報プッシュ装置は近距離通信によって、該他のユーザが携帯している第一ユーザ設備の第一識別子を取得し、後続方法を実行する。
【００３６】
ここで、前記近距離通信の方式は多種あることができ、例えば、ＮＦＣ、ブルートゥース（登録商標）等であり、本実施例はこれについて限定しない。
【００３７】
ステップ１０２において、現在のデータベースを検索し、第一識別子に対応する第一ユーザ情報を取得し、データベースは各ユーザ設備の識別子に対応するユーザ情報を含む。
【００３８】
また前記実際の応用シーンで例示される。
【００３９】
ユーザ情報プッシュ装置は他のユーザが携帯している第一ユーザ設備の第一識別子を取得した後に、現在のデータベースを検索し、該データベースに各ユーザ設備の識別子に対応するユーザ情報が記憶されており、第一識別子に対応する第一ユーザ情報即ち該他のユーザのユーザ情報を取得して、後続方法を実行する。
【００４０】
実際の応用において、ユーザが持続的にある場所に留まり、周囲ユーザのユーザ設備が移動しない場合、このとき該ユーザのユーザ情報プッシュ装置にスキャンされたユーザ設備リストが変化しない。新しいユーザ設備がスキャンされ、例えば、ユーザが移動する或いは他の新しいユーザがユーザに近接するときに、ユーザ情報プッシュ装置は、新しく出現した該ユーザのユーザ情報を含むプッシュ情報を出力する必要がある。相応的に、図１Ｂに示したように、図１Ｂは他の例示的実施例に基づいて示したユーザ情報プッシュ方法のフローチャートであり、図１Ａに示した実施方式に加えて、ステップ１０２は具体的に以下のステップを含むことができる。
【００４１】
ステップ１０４において、第一識別子は現在に検出されたユーザ設備の識別子に属しないときに、現在のデータベースを検索し、第一識別子に対応する第一ユーザ情報を取得する。
【００４２】
本実施方式において、新しいユーザ設備識別子が出現したことを検出するときに、データベースを検索して新しいユーザ設備識別子に対応するユーザ情報を取得し、それにより頻繁な繰り返し処理を回避し、ユーザ情報プッシュ装置の消費電力量と処理リソースを効果的に節約する。
【００４３】
ステップ１０３において、プッシュ情報を出力し、プッシュ情報は第一ユーザ情報を含む。
【００４４】
また前記実際の応用シーンで例示される。
【００４５】
ユーザ情報プッシュ装置は該他のユーザの第一ユーザ情報を取得した後に、ユーザは該他のユーザのユーザ情報をリアルタイムに分かるように、該第一ユーザ情報を含むプッシュ情報を出力する。
【００４６】
具体的に、プッシュ情報の出力形式は多種あることができ、例えばスクリーンに対応するウィンドウをポップアップして表示し、或いは振動で提示して表示すること等であり、本実施例はこれについて限定しない。
【００４７】
ここで、前記ユーザ情報は、ユーザが該ユーザを識別することができることに用いられ、前記ユーザ情報の内容は実際の必要に応じて確定することができ、例えば、ユーザの名前、設備モデル、連絡先等であり、本実施例はこれについて限定しない。
【００４８】
以上の記載からみれば、本実施例の提供するユーザ情報プッシュ方法は、ユーザの周囲に他のユーザが近接されるときに、近距離通信によって、他のユーザのユーザ設備識別子を取得することができ、各ユーザ設備識別子に対応するユーザ情報を検索することによって、該他のユーザのユーザ情報を取得し、かつユーザ情報を含むプッシュ情報を出力し、それによりユーザは周囲の他のユーザのユーザ情報をリアルタイムかつ正確に取得することができ、覚えられないことによる迷惑と不便を回避し、ユーザ識別の正確性と確実性を高める。
【００４９】
図２は他の例示的実施例に基づいて示したユーザ情報プッシュ方法のフローチャートであり、図２に示したように、本実施例は該ユーザ情報プッシュ方法をユーザ情報プッシュ装置に応用して例示され、図１Ａ或いは図１Ｂに示した実施方式に加えて、該ユーザ情報プッシュ方法はさらに以下のいくつかのステップを含むことができる。
【００５０】
ステップ２０１において、データベースに第一識別子に対応するユーザ情報が存在しないときに、編集要求をプッシュし、編集要求は第一識別子を含む。
【００５１】
ステップ２０２において、編集応答を受信し、編集応答は受信したユーザ情報を含む。
【００５２】
ステップ２０３において、受信したユーザ情報を第一識別子に対応するユーザ情報として、データベースに記憶する。
【００５３】
具体的に、本実施例の実行主体はユーザ情報プッシュ装置であることができる。本実施例の方法はデータベースを更新するために用いることができ、実際の応用シーンで例示される。
【００５４】
ユーザ情報プッシュ装置は他のユーザが携帯している第一ユーザ設備の第一識別子を受信した後に、現在のデータベースを検索し、データベースに第一設備に対応するユーザ情報がないときに、つまり、この前該他のユーザのユーザ情報が記憶されなく、したがって、データベースを更新するために該他のユーザのユーザ情報を追加する必要がある。具体的に、ユーザ情報プッシュ装置は編集要求をプッシュすることができ、ユーザは該他のユーザのユーザ情報を受信した後に、該編集要求に基づいてユーザ情報を含む編集応答を返信することができ、ユーザ情報プッシュ装置は該編集応答を受信した後に、編集応答におけるユーザ情報を第一識別子に対応するユーザ情報として、データベースに記憶する。
【００５５】
具体的に、編集要求をプッシュする方式は多種あることができ、例えば、表示インタフェースで入力ボックスをポップアップし、相応的に、ユーザは入力ボックスに第一設備の「オーナ名前」等のユーザ情報を入力した後に、ユーザ情報プッシュ装置は第一識別子とユーザの入力したユーザ情報をデータベースに記憶し、本実施例はこれについて限定しない。
【００５６】
また、ユーザは現在の編集必要のあるユーザ情報がどのユーザ設備に対応するユーザ情報であるかをさらに識別しやすいように、第一識別子はさらに第一ユーザ設備の設備モデルを含むことができる。
【００５７】
例えば、ユーザの周囲に二人の他のユーザが存在すると、そのうちの一人のユーザＡが使用した携帯電話モデルはシャオミでり、もう一人のユーザＢが使用した携帯電話モデルはアイフォンであり、かつデータベースにこの二人のユーザのユーザ情報がなく、このとき、ユーザ情報プッシュ装置は二つの編集要求をプッシュする必要があり、ユーザは設備識別子のみに基づいてどのユーザのユーザ情報を書き込むことを完全に識別することができなく、ユーザは本編集要求に表示した設備モデルに基づいて判断することができ、例えば、現在にプッシュした編集要求に表示された設備モデルはシャオミであると、ユーザはユーザＡのユーザ情報を本編集要求に対応する編集応答に書き込むことができる。
【００５８】
以上の記載からみれば、本実施例の提供するユーザ情報プッシュ方法は、データベースに現在の取得した識別子に対応するユーザ情報がないことを検出するときに、編集要求をプッシュし、かつデータベースへの更新及び改善を実現するために、ユーザの入力したユーザ情報を現在の取得した識別子に対応するユーザ情報としてデータベースに記憶し、ユーザ識別の正確性と確実性を高める。
【００５９】
図３Ａは他の例示的実施例に基づいて示したユーザ情報プッシュ方法のフローチャートであり、図３Ａに示したように、本実施例は該ユーザ情報プッシュ方法をユーザ情報プッシュ装置に応用して例示され、前記いずれの実施方式に加えて、該ユーザ情報プッシュ方法はさらに以下のいくつかのステップを含むことができる。
【００６０】
ステップ３０１において、提示禁止オプションをプッシュし、提示禁止オプションは第一ユーザ情報を含む。
【００６１】
ステップ３０２において、提示禁止オプションへの確認命令を検出するときに、データベース中の第一識別子に提示禁止マークを付ける。
【００６２】
また前記実際の応用シーンで例示される。
【００６３】
実際の応用において、一部の他のユーザはユーザとの関係付合いが非常に密接する可能性があり、したがって、ユーザは該ユーザを識別しやすく、このときこれらの他のユーザのユーザ情報を含むプッシュ情報を再度に出力する必要がない。具体的に、ユーザ情報プッシュ装置が第一識別子に対応する第一ユーザ情報を検索し、プッシュ情報を出力するとともに、さらに提示禁止オプションをプッシュすることにより、ユーザに今後該他のユーザを識別する必要があるか否かを問い合わせ、ユーザは該提示禁止オプションを選択することを検出し、即ち今後は該他のユーザを識別する必要がないことを示し、相応的に、識別しやすいために、前記データベース中の第一識別子に提示禁止オプションを付けることができる。
【００６４】
その後、取得したユーザ設備の識別子は提示禁止マークを付けている識別子であると、プッシュ情報を出力する必要がない。相応的に、図３Ｂに示したように、図３Ｂは他の例示的実施例に基づいて示したユーザ情報プッシュ方法のフローチャートであり、図３Ａに示した実施方式に加えて、該ユーザ情報プッシュ方法はさらに以下のステップを含むことができる。
【００６５】
ステップ３０３において、データベース中の第一識別子に提示禁止マークを付けていることを検出するときに、プッシュ情報の出力を禁止する。
【００６６】
以上の記載からみれば、本実施例の提供するユーザ情報プッシュ方法において、ユーザ情報を含むプッシュ情報を出力するとともに提示禁止オプションをプッシュし、ユーザは該提示禁止オプションを選択すると、データベース中の対応する識別子に提示禁止マークを付けて、その後に取得したユーザ設備の識別子は提示禁止マークを付けている識別子であると、プッシュ情報を出力する必要がなく、それにより不必要な処理を回避し、さらにユーザ情報プッシュ装置の消費電力量と処理リソースを節約する。
【００６７】
図４Ａは例示的実施例に基づいて示したユーザ情報プッシュ装置の構成図であり、図４Ａに示したように、該ユーザ情報プッシュ装置はさらに、
近距離通信によって、第一ユーザ設備の第一識別子を取得するように構成される取得モジュール４１と、
現在のデータベースを検索し、取得モジュール４１の取得した第一識別子に対応する第一ユーザ情報を取得し、データベースは各ユーザ設備の識別子に対応するユーザ情報を含むように構成される検索モジュール４２と、
プッシュ情報を出力し、前記プッシュ情報は前記検索モジュールの取得した前記第一ユーザ情報を含むように構成される第一プッシュモジュール４３と、を含むことができる。
【００６８】
実際の応用シーンで例示される。
【００６９】
ユーザはユーザ情報プッシュ装置を携帯し、ユーザの周囲に他のユーザが近接されるときに、取得モジュール４１は近距離通信によって、該他のユーザが携帯している第一ユーザ設備の第一識別子を取得し、検索モジュール４２は現在のデータベースを検索し、該データベースに各ユーザ設備の識別子に対応するユーザ情報が記憶され、第一識別子に対応する第一ユーザ情報、即ち該他のユーザのユーザ情報を取得し、ユーザは該他のユーザのユーザ情報をリアルタイムかつ正確に分かるするように、第一プッシュモジュール４３は第一ユーザ情報を含むプッシュ情報を出力する。
【００７０】
ここで、取得モジュール４１の近距離通信を行い方式は多種あることができ、例えば、ＮＦＣ、ブルートゥース（登録商標）等であり、本実施例はここでこれについて限定しない。
【００７１】
具体的に、第一プッシュモジュール４３のプッシュ情報の出力方式は多種あることができ、例えばスクリーンに対応するウィンドウをポップアップして表示し、或いは振動で提示して表示すること等であり、本実施例はここでこれについて限定しない。
【００７２】
ここで、前記ユーザ情報はユーザが該ユーザを識別できることに用いられ、前記ユーザ情報の内容は実際の必要に応じて確定することができ、例えば、ユーザの名前、設備モデル、連絡先等、本実施例はここでこれについて限定しない。
【００７３】
実際の応用において、ユーザは持続的にあるある場所に留まり、周囲ユーザのユーザ設備が移動しない場合、このとき取得モジュール４１にスキャンされたユーザ設備リストが変化しない。取得モジュール４１が新しいユーザ設備をスキャンした、例えば、ユーザが移動する或いは他の新しいユーザがユーザに近接するときに、第一プッシュモジュール４３は、新しく出現した該ユーザのユーザ情報を含むプッシュ情報を出力する必要がある。相応的に、図４Ｂに示したように、図４Ｂは他の例示的実施例に基づいて示したユーザ情報プッシュ方法の構成図であり、図４Ａに示した実施方式に加えて、検索モジュール４２は、
取得モジュール４１の取得した第一識別子は現在の既に検出されたユーザ設備の識別子に属しないときに、現在のデータベースを検索し、第一識別子に対応する第一ユーザ情報を取得するように構成される検索サブモジュール４２１を含む。
【００７４】
本実施方式において、取得モジュール４１は、新しいユーザ設備識別子が出現したことを検出するときに、検索サブモジュール４２１はデータベースを検索して該新しいユーザ設備識別子に対応するユーザ情報を取得し、それにより頻繁の繰り返し処理を回避し、ユーザ情報プッシュ装置の消費電力量と処理リソースを効果的に節約する。
【００７５】
以上の記載からみれば、本実施例の提供するユーザ情報プッシュ装置は、ユーザの周囲に他のユーザが近接されるときに、近距離通信によって、他のユーザのユーザ設備識別子を取得することができ、各ユーザ設備識別子に対応するユーザ情報を検索することによって、該他のユーザのユーザ情報を取得し、かつユーザ情報を含むプッシュ情報を出力し、それによりユーザは周囲の他のユーザのユーザ情報をリアルタイムかつ正確に取得することができ、覚えられないことによる迷惑と不便を回避し、ユーザ識別の正確性と確実性を高める。
【００７６】
図５は他の例示的実施例に基づいて示したユーザ情報プッシュ装置の構成図であり、図５に示したように、図４Ａ或いは図４Ｂに示した実施方式に加えて、該ユーザ情報プッシュ装置はさらに、
検索モジュール４２は前記データベースに第一識別子に対応するユーザ情報が存在しないことを検出するときに、編集要求をプッシュし、編集要求は前記第一識別子を含むように構成される第二プッシュモジュール５１と、
編集応答を受信し、編集応答は受信したユーザ情報を含むように構成される第一受信モジュール５２と、
第一受信モジュール５２の受信したユーザ情報を第一識別子に対応するユーザ情報として、データベースに記憶するように構成される編集モジュール５３と、を含むことができる。
【００７７】
具体的に、本実施例の方法はデータベースを更新するために用いることができ、実際の応用シーンで例示される。
【００７８】
取得モジュール４１は他のユーザが携帯している第一ユーザ設備の第一識別子を取得し、検索モジュール４２は現在のデータベースを検索し、検索モジュール４２はデータベースに第一設備に対応するユーザ情報がないことを発見するときに、つまり、この前該他のユーザのユーザ情報が記憶されなく、したがって、データベースを更新するために該他のユーザのユーザ情報を付ける必要がある。具体的に、第二プッシュモジュール５１は編集要求をプッシュすることができ、ユーザは該他のユーザのユーザ情報を受信した後に、該編集要求に基づいてユーザ情報を含む編集応答を返信することができ、第一受信モジュール５２は該編集応答を受信した後に、編集モジュール５３は編集応答におけるユーザ情報を第一識別子に対応するユーザ情報として、データベースに記憶する。
【００７９】
具体的に、第二プッシュモジュール５２の編集要求のプッシュ方式は多種あることができ、例えば、表示インタフェースで入力ボックスをポップアップし、相応的に、ユーザは入力ボックスに第一設備の「オーナ名前」等のユーザ情報を入力した後に、ユーザ情報プッシュ装置は第一識別子とユーザの入力したユーザ情報をデータベースに記憶し、本実施例はこれについて限定しない。
【００８０】
また、ユーザが現在に編集必要のあるユーザ情報はどのユーザ設備に対応するユーザ情報であるかを識別しやすいために、第一識別子はさらに第一ユーザ設備の設備モデルを含むことができる。
【００８１】
以上の記載からみれば、本実施例の提供するユーザ情報プッシュ装置は、データベースに現在の取得した識別子に対応するユーザ情報がないことを検出するときに、編集要求をプッシュし、かつデータベースへの更新及び改善を実現するために、ユーザの入力したユーザ情報を現在に取得した識別子に対応するユーザ情報としてデータベースに記憶し、ユーザ識別の正確度と確実性を高める。
【００８２】
図６Ａは他の例示的実施例に基づいて示したユーザ情報プッシュ装置の構成図であり、図６Ａに示したように、前記いずれの実施方式に加えて、該ユーザ情報プッシュ装置はさらに以下のいくつかのステップを含むことができる。
【００８３】
第三プッシュモジュール６１は、提示禁止オプションをプッシュし、提示禁止オプションは第一ユーザ情報を含むように構成される。
【００８４】
マークモジュール６２は、提示禁止オプションへの確認命令を検出するときに、データベース中の第一識別子に提示禁止マークを付けるように構成される。
【００８５】
また前記の実際の応用シーンで例示される。
【００８６】
検索モジュール４２は第一識別子に対応する第一ユーザ情報を検索し、第一プッシュモジュール４３はプッシュ情報を出力するとともに、第三プッシュモジュール６１は提示禁止オプションをプッシュすることができ、ユーザに今後該他のユーザを識別する必要があるか否かを問い合わせ、マークモジュール６２はユーザが該提示禁止オプションを選択することを検出し、即ち今後は該他のユーザを識別する必要がないことを示し、識別しやすいために、前記データベース中の第一識別子に提示禁止オプションを付ける。
【００８７】
その後、取得モジュール４１の取得したユーザ設備の識別子は提示禁止マークを付けている識別子であると、プッシュ情報を出力する必要がない。相応的に、図６Ｂに示したように、図６Ｂは他の例示的実施例に基づいて示したユーザ情報プッシュ装置の構成図であり、図６Ａに示した実施方式に加えて、前記装置はさらに、
データベース中の第一識別子に提示禁止マークを付けていることを検出するときに、プッシュ情報の出力を禁止するように構成される処理モジュール６３を含む。
【００８８】
以上の記載からみれば、本実施例の提供するユーザ情報プッシュ装置は、ユーザ情報を含むプッシュ情報を出力するとともに提示禁止オプションをプッシュし、ユーザは該提示禁止オプションを選択すると、データベース中の対応する識別子に提示禁止マークを添加し、続いて取得したユーザ設備の識別子は提示禁止マークを付けている識別子であると、プッシュ情報を出力する必要がなく、それにより不必要な処理を回避し、さらにユーザ情報プッシュ装置の消費電力量と処理リソースを効果的に節約する。
【００８９】
以上はユーザ情報プッシュ装置の内部機能と構成を説明する。
【００９０】
図７は例示的実施例に基づいて示したユーザ情報プッシュ装置のブロック図であり、図７に示したように、該ユーザ情報プッシュ装置は、
プロセッサと、
プロセッサで実行可能な命令を記憶するように構成されるメモリとを含んで実現することができ、
ここで、前記プロセッサは、近距離通信によって、第一ユーザ設備の第一識別子を取得し、現在のデータベースを検索し、前記第一識別子に対応する第一ユーザ情報を取得し、前記データベースは各ユーザ設備の識別子に対応するユーザ情報を含み、プッシュ情報を出力し、前記プッシュ情報は前記第一ユーザ情報を含むように構成される。
【００９１】
本実施例の提供するユーザ情報プッシュ装置は、ユーザの周囲に他のユーザが近接されるときに、近距離通信によって、他のユーザのユーザ設備識別子を取得することができ、各ユーザ設備識別子に対応するユーザ情報を検索することによって、該他のユーザのユーザ情報を取得し、かつユーザ情報を含むプッシュ情報を出力し、それによりユーザは周囲の他のユーザのユーザ情報をリアルタイムかつ正確に取得することができ、覚えられないことによる迷惑と不便を回避し、ユーザ識別の正確性と確実性を高める。
【００９２】
図８は例示的実施例に基づいて示したユーザ情報プッシュ装置８００のブロック図である。例えば、ユーザ情報プッシュ装置８００はコンピュータ、端末、情報送受信設備、ゲームコンソール、識別子レット設備、医療設備、フィットネス設備、パーソナルデジタルアシスタント等であることができる。
【００９３】
図８を参考して、ユーザ情報プッシュ装置８００は、処理モジュール８０２、メモリ８０４、マルチメディアモジュール８０８、オーディオモジュール８１０、入力／出力（Ｉ／Ｏ）のインタフェース８１２、センサモジュール８１４、及び通信モジュール８１６のうちの一つ以上を含むことができる。
【００９４】
処理モジュール８０２は通常にユーザ情報プッシュ装置８００の全体操作を制御し、例えば表示、電話コール、データ通信、カメラ操作と記録操作に関連する操作である。上記方法の全部或いは一部のステップを完成するために、処理モジュール８０２は一つ或いはプロセッサ８２０を含むことができて命令を実行する。また、処理モジュール８０２と他のモジュールとの間のインタラクションをやりやすいために、処理モジュール８０２は一つ或いは複数のモジュールを含むことができる。例えば、マルチメディアモジュール８０８と処理モジュール８０２との間のインタラクションをやりやすいために、処理モジュール８０２はマルチメディアモジュールを含むことができる。
【００９５】
メモリ８０４はユーザ情報プッシュ装置８００での操作を支持するために各種タイプのデータを記憶するように構成される。これらのデータの例示はユーザ情報プッシュ装置８００で操作するためのいずれのアプリケーションプログラム或いは方法の命令、連絡先データ、電話帳データ、メッセージ、ピクチャ、ビデオ等を含む。メモリ８０４はいずれのタイプの揮発性或いは不揮発性記憶設備或いはそれらの組合せで実現することができ、例えばスタティックランダムアクセスメモリ（ＳＲＡＭ）、電気的消去可能プログラマブルリードオンリーメモリ（ＥＥＰＲＯＭ）、消去可能プログラマブルリードオンリーメモリ（ＥＰＲＯＭ）、プログラマブルリードオンリメモリ（ＰＲＯＭ）、リードオンリメモリ（ＲＯＭ）、磁気メモリ、フラッシュメモリ、磁気ディスク或いはディスクである。
【００９６】
電源モジュール８０６はユーザ情報プッシュ装置８００の各種モジュールに電力を提供する。電源モジュール８０６は電源管理システム、一つ或いは複数の電源、及び他のユーザ情報プッシュ装置８００に電力を生成、管理及び分配することに関連するモジュールを含むことができる。
【００９７】
マルチメディアモジュール８０８は前記ユーザ情報プッシュ装置８００とユーザとの間に一つの出力インタフェースを提供するスクリーンを含む。一部の実施例において、スクリーンは液晶ディスプレイ（ＬＣＤ）とタッチパネル（ＴＰ）を含むことができる。スクリーンはタッチパネルを含むと、ユーザからの入力信号を受信するために、スクリーンはタッチパネルに実現することができる。タッチ、スライドとタッチパネルウ上のジェスチャを感知するためにタッチパネルは一つ或いは複数のタッチセンサを含む。タッチセンサはタッチ或いはスライド動作の境界を感知するだけでなく、さらにタッチ或いはスライド動作に関連する持続時間と圧力を感知する。一部の実施例において、マルチメディアモジュール８０８は一つの前置きカメラ及び／又はリヤカメラを含む。ユーザ情報プッシュ装置８００は操作モード、例えば撮影モード或いはビデオモードにあるときに、前置きカメラ及び／又はリヤカメラは外部のマルチメディアデータを受信することができる。各前置きカメラとリヤカメラは一つの固定された光学レンズシステムであることができ或いは焦点距離と光学ズーム能力を有する。
【００９８】
オーディオモジュール８１０はオーディオ信号を出力及び／又は入力するように構成される。例えば、オーディオモジュール８１０は一つのマイク（ＭＩＣ）を含み、ユーザ情報プッシュ装置８００は操作モード、例えばコールモード、記憶モードと音声識別モードにあるときに、マイクは外部オーディオ信号を受信するように構成される。受信されたオーディオ信号はさらにメモリ８０４に記憶し或いは通信モジュール８１６によって送信することができる。一部の実施例において、オーディオモジュール８１０はさらに一つのスピーカーを含み、オーディオ信号を出力するために用いられる。
【００９９】
Ｉ／Ｏインタフェース８１２は処理モジュール８０２と外部インタフェースモジュールとの間にインタフェースを提供し、上記外部インタフェースモジュールはキーボード、クリックホイール、ボタン等であることができる。これらのボタンはホームページボタン、ボリュームボタン、スタートボタンとロックボタンを含むことができかつこれらに限定されない。
【０１００】
センサモジュール８１４は一つ或いは複数のセンサを含み、ユーザ情報プッシュ装置８００に各方面の状態評価を提供するために用いられる。例えば、センサモジュール８１４はユーザ情報プッシュ装置８００のオン／オフ状態、モジュールの相対測位を検出することができ、例えば前記モジュールはユーザ情報プッシュ装置８００のディスプレイと小さなキーボードであり、センサモジュール８１４はさらにユーザ情報プッシュ装置８００或いはユーザ情報プッシュ装置８００の一つのモジュールの位置変化、ユーザとユーザ情報プッシュ装置８００との接触の存在或いは不存在、ユーザ情報プッシュ装置８００方位或いは加速／減速及びユーザ情報プッシュ装置８００の温度変化を検出することができる。センサモジュール８１４は近接センサを含むことができ、いずれの物理的接触がないときに附近物体の存在を検出するために用いられるように構成される。センサモジュール８１４はさらに光センサ、例えばＣＭＯＳ或いはＣＣＤ画像センサを含むことができ、撮影アプリケーションの使用に用いられる。一部の実施例において、該センサモジュール８１４はさらに加速センサ、ジャイロセンサ、磁気センサ、圧力センサ、マイクロ波センサ或いは温度センサを含むことができる。
【０１０１】
通信モジュール８１６はユーザ情報プッシュ装置８００と他の設備との間に有線或いは無線の方式で通信しやすいように構成される。ユーザ情報プッシュ装置８００は通信基準に基づく無線ネットワーク、例えばＷｉＦｉ，２Ｇ或いは３Ｇ、或いはそれらの組合せに接続することができる。一つの例示的実施例において、通信モジュール８１６は放送チャネルによって外部放送管理システムの放送信号或いは放送関連情報を受信する。一つの例示的実施例において、短距離通信を促進するために、通信モジュール８１６はさらに近距離通信（ＮＦＣ）モジュールを含む。例えば、ＮＦＣモジュールは無線周波数識別（ＲＦＩＤ）技術、赤外線データ協会（ＩｒＤＡ）技術、超広帯域（ＵＷＢ）技術、ブルーブルートゥース（登録商標）（ＢＴ）技術及び他の技術に基づいて実現することができる。
【０１０２】
例示的実施例において、ユーザ情報プッシュ装置８００は一つ或いはアプリケーション専用集積回路（ＡＳＩＣ）、デジタル信号プロセッサ（ＤＳＰ）、デジタル信号処理設備（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ或いは他の電子デバイスで実現することができ、上記方法を実行するために用いられる。
【０１０３】
例示的実施例において、さらに命令を含む非一時的なコンピュータ可読記憶媒体を提供し、例えば命令を含むメモリ８０４であり、上記命令は装置８００のプロセッサ８２０で実行して上記方法を完成することができる。例えば、非一時的なコンピュータ可読媒体はＲＯＭ、ランダムアクセスメモリ（ＲＡＭ）、ＣＤ−ＲＯＭ、テープ、フレキシブルディスクと光データ記憶設備等であることができる。
【０１０４】
非一時的なコンピュータ可読記憶媒体は、前記記憶媒体中の命令はユーザ情報プッシュ装置のプロセッサで実行するときに、ユーザ情報プッシュ装置は一種のユーザ情報プッシュ方法を実行することができさせ、前記方法は以下を含む。
【０１０５】
近距離通信によって、第一ユーザ設備の第一識別子を取得し、現在のデータベースを検索し、前記第一識別子に対応する第一ユーザ情報を取得し、前記データベースは各ユーザ設備の識別子に対応するユーザ情報を含み、プッシュ情報を出力し、前記プッシュ情報は前記第一ユーザ情報を含む。
【０１０６】
所属分野の技術者は明瞭に了解することができ、描写の便利さ及び簡潔さのために、上記装置の具体的な作業過程の描写は、前記方法実施例における対応する過程を参考することができる。
【０１０７】
本領域の技術的人員は説明書を考慮し及びここで開示した発明を実践した後に、本発明の他の実施方法を思い出しやすい。本願の目的は本発明のいずれの変型、用途或いは適応性変化を含むことであり、これらの変型、用途或いは適応性変化は本発明の一般性原理に従いかつ本開示の開示されない本技術分野中の公知常識又は慣用技術的解決手段を含む。説明書及び実施例は例示的のみと見なされ、本発明の真の範囲と精神は以下の特許請求で示される。
【０１０８】
理解しようとするのは、本発明は以上の既に描写されかつ図面に示した正確な構造を限定されなく、かつその範囲を脱離しなくて各種の修正と変化を行うことができる。本発明の範囲は特許請求で限定されることに過ぎない。
【産業上の利用可能性】
【０１０９】
本実施方式の提供する技術的解決手段は、ユーザの周囲に他のユーザが近接されるときに、近距離通信によって、他のユーザのユーザ設備識別子を取得することができ、各ユーザ設備識別子に対応するユーザ情報を検索することによって、該他のユーザのユーザ情報を取得し、かつユーザ情報を含むプッシュ情報を出力し、それによりユーザは周囲の他のユーザのユーザ情報をリアルタイムかつ正確に取得することができ、覚えられないことによる迷惑と不便を回避し、ユーザ識別の正確性と確実性を高める。
【図１Ａ】
2018503988.tif 000003
【図１Ｂ】
2018503988.tif 000004
【図２】
2018503988.tif 000005
【図３Ａ】
2018503988.tif 000006
【図３Ｂ】
2018503988.tif 000007
【図４Ａ】
2018503988.tif 000008
【図４Ｂ】
2018503988.tif 000009
【図５】
2018503988.tif 000010
【図６Ａ】
2018503988.tif 000011
【図６Ｂ】
2018503988.tif 000012
【図７】
2018503988.tif 000013
【図８】
2018503988.tif 000014
【国際調査報告】
2018503988.tif 000015
2018503988.tif 000016
2018503988.tif 000017
2018503988.tif 000018